【事件の表示】
　平成１１年特許願第１３８０６８号「緯糸先端の処理方法および処理装置」拒絶査定不服審判事件〔平成１２年１１月２８日出願公開、特開２０００−３２８３９９〕について、次のとおり審決する。
【結　論】
　本件審判の請求は、成り立たない。
【理　由】
１．手続の経緯・本願発明
　本願は、平成１１年５月１９日の出願であって、平成１５年４月１７日付けで拒絶査定がなされ、これに対し、同年５月２０日付けで拒絶査定に対する審判請求がなされるとともに同年５月３０日付けで手続補正がなされたものである。
　
２．平成１５年５月３０日付け手続補正についての補正却下の決定
［補正却下決定の結論］
　平成１５年５月３０日付けの手続補正を却下する。
［理由］
（１）補正後の本願発明
　本願の補正は、特許請求の範囲の請求項１を
「【請求項１】緯入れされ反給糸側に到達した緯糸に、張力を付与した状態で、筬の筬打ち運動により、緯糸を織布の織り口へ運び筬打ちする断片織機において、
　織り口よりも巻き取り側に位置し、織布の端部と下記の緯糸吸い込み装置の第２の吸い込み口との間に切断領域を有し、筬打ちされて織布の端部から巻取側に向けて傾斜する緯糸を切断する緯糸切断装置と、織り口よりも巻き取り側に設置され、緯入れされた緯糸に向き合うように開口する第１の吸い込み口、および上記第１の吸い込み口に連なり、織布の端部に向き合うように開口する第２の吸い込み口を有し、これらの第１の吸い込み口、第２の吸い込み口により筬打ちされた緯糸の先端を保持するとともに、切断された緯糸の先端を吸い込んで廃棄する手段を有する緯糸吸い込み装置と、を設け、
　緯入れ過程で、筬打ち運動に連れて織り口へ運ばれる緯糸の先端を空気流によって上記第１の吸い込み口に取り込み、つぎに、筬打ちされた緯糸の先端を上記第１の吸い込み口から第２の吸い込み口へと移動させ、緯糸の先端を空気流によって上記第２の吸い込み口により保持した後、織布の端部と上記第２の吸い込み口との間で巻取側に向けて傾斜する緯糸を上記緯糸切断装置により切断することを特徴とする緯糸先端の処理方法。」から
「【請求項１】緯入れされ反給糸側に到達した緯糸に、張力を付与した状態で、筬の筬打ち運動により、緯糸を織布の織り口へ運び筬打ちする断片織機において、
　織り口よりも巻き取り側に配置され、緯入れされた緯糸に向き合うように開口する第１の吸い込み口およぴこの第１の吸い込み口に連なり織布の端部に向き合うように開口する第２の吸い込み口を有する緯糸吸い込み装置と、織り口よりも巻き取り側に位置し、織布の喘部と上記緯糸吸込み装置の第２の吸い込み口との間に切断領域を有する緯糸切断装置と、上記緯糸吸い込み装置に付設されて切断された緯糸の端部を吸い込んで廃棄する手段とを設け、
　緯入れ後、筬打ち運動に連れて織り口へ運ばれる緯糸の先端を空気流によって上記第１の吸い込み口に取り込み、筬打ち後、上記第１の取り込み口に取り込まれた緯糸の先端を空気流によって上記第１の吸い込み口から第２の吸い込み口へと移動させることにより上記第２の吸い込み口により保持した後、織布の端部と上記第２の吸い込み口との間で巻き取り側に向けて傾斜する緯糸を上記緯糸切断装置により切断し、この切断された緯糸先端部が上記緯糸吸い込み装置を介して廃棄される、ことを特徴とする緯糸先端の処理方法。」（以下、「本願補正発明１」という）に補正するものである。
　なお、本願の請求項２、３は、実質的に補正されたものではない。
そこで当該補正に付き検討すると、
　本願補正発明１は、文章の順序を入れ替え整理するとともに、「第２の吸い込み口により保持した後、織布の端部と上記第２の吸い込み口との間で巻き取り側に向けて傾斜する緯糸を上記緯糸切断装置により切断し」の後に「切断された緯糸先端部が上記緯糸吸い込み装置を介して廃棄される」記載を付加して限定したものである。
　本願補正発明２は、単に文章の順序を入れ替え整理する補正をしたものである。
　したがって、当該補正は、特許法第１７条の２第４項第２号に規定する特許請求の範囲の請求項１の減縮を目的とするものであって、新規事項を追加するものではなく、発明の産業上の利用分野を変更するものではなく、かつ、当該補正が発明を解決しようとする課題を変更するものでもない。
　そこで、本願補正発明１が特許出願の際独立して特許を受けることができるものであるか、特許法第１７条の２第５項において準用する同法第１２６条第４項の規定に適合するかについて以下に検討する。
　　　
　前記認定のとおり、本願補正発明１は以下のとおりのものである。
「【請求項１】緯入れされ反給糸側に到達した緯糸に、張力を付与した状態で、筬の筬打ち運動により、緯糸を織布の織り口へ運び筬打ちする断片織機において、
　織り口よりも巻き取り側に配置され、緯入れされた緯糸に向き合うように開口する第１の吸い込み口およぴ（「ぴ」は、「び」の誤記である）この第１の吸い込み口に連なり織布の端部に向き合うように開口する第２の吸い込み口を有する緯糸吸い込み装置と、織り口よりも巻き取り側に位置し、織布の喘部と上記緯糸吸込み装置の第２の吸い込み口との間に切断領域を有する緯糸切断装置と、上記緯糸吸い込み装置に付設されて切断された緯糸の端部を吸い込んで廃棄する手段とを設け、
　緯入れ後、筬打ち運動に連れて織り口へ運ばれる緯糸の先端を空気流によって上記第１の吸い込み口に取り込み、筬打ち後、上記第１の取り込み口に取り込まれた緯糸の先端を空気流によって上記第１の吸い込み口から第２の吸い込み口へと移動させることにより上記第２の吸い込み口により保持した後、織布の端部と上記第２の吸い込み口との間で巻き取り側に向けて傾斜する緯糸を上記緯糸切断装置により切断し、この切断された緯糸先端部が上記緯糸吸い込み装置を介して廃棄される、ことを特徴とする緯糸先端の処理方法。」
（２）引用刊行物について
　原査定の拒絶の理由に引用され、本願の出願前に頒布された刊行物である、実願昭５７−１３４５１１号（実開昭５９−４０３８１号）のマイクロフィルム（以下、「引用例１」という）、実願昭５７−５８３６３号（実開昭５８−１６３５７９号）のマイクロフィルム（以下、「引用例２」という）には、以下の事項が記載されている。
１）引用例１の記載事項
〈ａ〉「断片織機の反給糸側の織布端に近接して耳処理体を配設し、この耳処理体の筬対向面に緯入れ高さに合わせて房耳長さに対応する吸引口を設けるとともに、上記耳処理体の織布端に対向する位置に所定の後退角の傾斜面を形成し、この傾斜面に上記吸引口と連通する案内口を設け、上記吸引口および案内口をともに吸引空気源に接続してなることを特徴とする断片織機の房耳処理装置。」（実用新案登録請求の範囲）
〈ｂ〉「本考案の先行技術として実公昭４５−８３７０号「無杼織機における緯糸端の吸引装置」がある。その吸引装置は、緯入れ後の反給糸側の緯糸端を吸引管の吸引口のところで吸込み、この緯糸端をスリット状の切込みで挟持するようにしている。」（第１頁１６行〜末行）
〈ｃ〉「そして本考案の房耳処理装置２は、耳処理体１０を主要部として構成してある。この耳処理体１０は、ノズル６と異なる側の端部すなわち反給糸側で織布８の端縁に近接し、かつ織口１１よりも後方に設けられている。また…略…このテンプル１２の近くで房耳切断用のカッタ１３が設けられている。耳処理体１０は、第２図および第３図に示すように、六面体であり、筬７と対向する筬対向面１４に緯入れ高さに合わせて房耳２１の長さに対応する吸引口１５を形成しており、また上記織布８の反給糸側の端縁に対向する位置で、…略…傾斜面１６を形成し、この傾斜面１６で上記吸引口１５と連通する案内口１７を形成している。吸引口１５および案内口１７は、共に筬対向面１４および傾斜面１６の稜線の部分から内部にかけて連通しており、耳処理体１０の背面側の吸込口１８に連通している。この吸込口１８は、ホース１９などで吸引空気源２０に接続されている。」（第３頁９行〜第４頁９行）
〈ｄ〉「緯入れ後の緯糸５の反給糸側の端部は、吸込口１８の空気流により吸引口１５の内部に入り込む。ここで吸引空気源２０は、緯糸５の端部を空気流により引き込んでいるから、緯糸５の反給糸側の端部に一定の張力が与えられ、緯糸５の端部は、安定に保持される。…略…また、筬７は、おさ打ち運動をするとき、…略…緯糸５の端部に所定の張力が掛けられてい…略…る。このようにして織布８の房耳２１は、耳処理体１０の吸引口１５から入り込み、織布８の…略…進行とともに、案内口１７に案内されて移動し、最終的にカッタ１３により切断される」（第４頁１７行〜第５頁１２行）
〈ｅ〉「切断後の緯糸５の端部つまり房耳端は、吸引力によりまたは自由落下により容器などに収容される。」（第６頁１５〜１７行）
〈ｆ〉第１図によれば、織布８の房耳２１が、織布の端部と案内口１７との間で傾斜しながら最終的にカッタ１３により切断される点が記載されている。
２）引用例２の記載事項
〈ｇ〉「本考案は空気噴射式織機において緯入れされた緯糸の端部を反緯入れ側にて空気の吸引管内に吸引することにより緯糸の端部を緊張させるようにした緯糸端部緊張装置に関する。」（第１頁１２〜１５行）
〈ｈ〉「一方、緯入れされた緯糸９の端部を吸引するため、緯入れ経路の反緯入れ側に空気の吸引管１０が設けられている。この吸引管１０は、筬保持体４の反緯入れ側端面に固定されたブラケット１１に取り付けられた固定管１０ａ…略…の先端部に弾性継手１０ｂを介して出入り可能に連結された調整管１０ｃ…略…が設けられている。」（第２頁５〜１３行）
〈ｉ〉「緯入れ後、筬３が前進し、この過程で緯糸９は案内子６の案内孔６ａから緯糸脱出用間隙６ｂを通って脱出し、そののち筬３により織前１７へ打込まれてカッター１８により切断され、織布１９となる。そして、かかる筬打ちの過程においても緯糸９の端部を吸引管１０により牽引し続け、緯糸９に張力を与えて耳のしまり等が良好となるようにしている。」（第３頁８〜１５行）
（３）対比・判断
　緯入れされた緯糸が、筬打ち運動により織布の織り口へ運ばれて耳処理体１０に到達することは、周知である。
　そして、引用例１の発明は、「装置」に関する発明であり、本願補正発明は「方法」の発明であるから、そのカテゴリーが相違するが、引用例１の「〈ｂ〉〜〈ｅ〉」によれば、引用例１の発明を実施するに当たり、その方法が実質的に記載されているものである。
　そうすると、記載事項〈ａ〉〜〈ｆ〉によれば、引用例１には、
「断片織機の反給糸側の織布端に近接して配置された耳処理体１０はノズル６と異なる側の端部すなわち反給糸側で織布８の端縁に近接し、かつ織口１１よりも後方に設けたものであって、該耳処理体１０は筬７との対向面１４に緯入れ高さに合わせて吸引口１５を形成しており、また上記織布８の反給糸端縁に対向する傾斜面１６で上記吸引口１５と連通する案内口１７を形成し、テンプル１２の近くに房耳切断用のカッタ１３、切断後の緯糸５の端部を吸引口１８ホース１９を介して吸引力により容器などに収容する手段を備えてなり、筬打ちで吸引口１５に吸い込まれた緯糸の端部を空気流によって所定の張力を掛け織布８の進行とともに案内口１７に案内され、最終的に布８の房耳２１は織布の端部と案内口１７との間で傾斜しながらカッタ１３により切断され、該切断された緯糸５の端部（房耳端）は、吸引力により容器に収容される緯糸先端の処理方法。」（以下、「引用例１の発明」という）が記載されている。
　そこで本願補正発明１と引用例１の発明とを対比すると、
　引用例１の発明の「織口１１よりも後方」、「吸引口１５」、「案内口１７」は、本願発明の「織り口よりも巻き取り側」、「第１の吸い込み口」、「第２の吸い込み口」に相当するから、
　両者は、「筬の筬打ち運動により、緯糸を織布の織り口へ運び筬打ちする断片織機において、
　織り口よりも巻き取り側に配置され、緯入れされた緯糸に向き合うように開口する第１の吸い込み口およびこの第１の吸い込み口に連なり織布の端部に向き合うように開口する第２の吸い込み口を有する緯糸吸い込み装置と、織り口よりも巻き取り側に位置し、織布の喘部と上記緯糸吸込み装置の第２の吸い込み口との間に切断領域を有する緯糸切断装置と、上記緯糸吸い込み装置に付設されて切断された緯糸の端部を吸い込んで廃棄する手段とを設け、緯入れ後、筬打ち運動に連れて織り口へ運ばれる緯糸の先端を空気流によって上記第１の吸い込み口に取り込み、筬打ち後、上記第１の取り込み口に取り込まれた緯糸の先端を空気流によって上記第１の吸い込み口から第２の吸い込み口へと移動させることにより上記第２の吸い込み口により保持した後、織布の端部と上記第２の吸い込み口との間で巻き取り側に向けて傾斜する緯糸を上記緯糸切断装置により切断し、この切断された緯糸先端部が上記緯糸吸い込み装置を介して廃棄される、ことを特徴とする緯糸先端の処理方法。」で一致し、以下の点で相違している
〈相違点１〉本願補正発明１の断片織機においては、筬打ち運動の際、「緯入れされ反給糸側に到達した緯糸に、張力を付与した状態で、緯糸を織布の織り口へ運んでいる」のに対し、引用例１の発明においてはこの点の記載がない点。
〈相違点２〉本願補正発明１の断片織機においては、「切断された緯糸先端部が上記緯糸吸い込み装置を介して廃棄される」のに対し、引用例１の発明においてはこの点の記載がない点。
　以下、上記相違点について検討する
〈相違点１〉について
　引用例２には、空気噴射式織機において緯入れされた緯糸の端部を緊張させる緯入れ経路の反緯入れ側に配設した空気の吸引管１０が筬打ちの過程においても緯糸９の端部を牽引し続け、緯糸９に張力を与えて耳のしまり等が良好となるようにする点が記載されている。筬打ちの過程においても緯糸９の端部を牽引し続けることは、断片織機の分野において周知（必要なら、特開平１０−２９８８５０号公報、実願昭６０−１９２２２９号（実開昭６２−１０１８８３号）のマイクロフィルム、特開平７−２７９００１号公報等参照）である。したがって、相違点１のように引用例１の発明に、刊行物２および周知技術を付加することは当業者が適宜なしえたことである。
〈相違点２〉について
　引用例１においても「カッタ１３により切断され、該切断された緯糸５の端部（房耳端）が、吸引力により容器に収容される」ためには、「カッタ１３と容器との間」には「切断された緯糸先端部が緯糸吸い込み装置を介して廃棄される」関係が成立していなければできないことである。
　したがって、相違点２は、記載がなくとも常套手段にすぎないものであるから技術的な相違は認められない。
　なお、審判請求人は、本願補正発明１の緯糸は、「織布の端部と上記第２の吸い込み口との間で巻取側に向けて傾斜する」点で引用例１の発明の発明と相違する旨主張しているが、上記記載は、傾斜の起点を特定していないものであり、単に織布として織込まれた緯糸と水平面上において角度をなしていることを特定するものにすぎず、この点に相違は認められない。
　そうすると、本願補正発明１は、引用例１、２に記載された発明及び周知技術に基づいて当業者が容易に発明をすることができたものであるから、本願は、特許請求の範囲の請求項２、３について検討するまでもなく、拒絶すべきものである。
　
（４）むすび
　以上のとおりであるから、本願補正発明２、３について検討するまでもなく、本願補正発明１は、特許法第１７条の２第５項で準用する同法第１２６条第４項の規定に違反するものであり、特許法第１５９条第１項で準用する特許法第５３条第１項の規定により却下をすべきものである。
　
３．本願発明について
　平成１５年５月３０日付け手続補正は上記のとおり却下されたので、本願の請求項１〜３に係る発明（以下、「本願発明」という）は、平成１５年３月１１日付け手続補正書に記載された事項により特定される、以下のとおりのものである。
「【請求項１】緯入れされ反給糸側に到達した緯糸に、張力を付与した状態で、筬の筬打ち運動により、緯糸を織布の織り口へ運び筬打ちする断片織機において、
　織り口よりも巻き取り側に位置し、織布の端部と下記の緯糸吸い込み装置の第２の吸い込み口との間に切断領域を有し、筬打ちされて織布の端部から巻取側に向けて傾斜する緯糸を切断する緯糸切断装置と、織り口よりも巻き取り側に設置され、緯入れされた緯糸に向き合うように開口する第１の吸い込み口、および上記第１の吸い込み口に連なり、織布の端部に向き合うように開口する第２の吸い込み口を有し、これらの第１の吸い込み口、第２の吸い込み口により筬打ちされた緯糸の先端を保持するとともに、切断された緯糸の先端を吸い込んで廃棄する手段を有する緯糸吸い込み装置と、を設け、
　緯入れ過程で、筬打ち運動に連れて織り口へ運ばれる緯糸の先端を空気流によって上記第１の吸い込み口に取り込み、つぎに、筬打ちされた緯糸の先端を上記第１の吸い込み口から第２の吸い込み口へと移動させ、緯糸の先端を空気流によって上記第２の吸い込み口により保持した後、織布の端部と上記第２の吸い込み口との間で巻取側に向けて傾斜する緯糸を上記緯糸切断装置により切断することを特徴とする緯糸先端の処理方法。
【請求項２】緯入れされ反給糸側に到達した緯糸に、張力を付与した状態で、筬の筬打ち運動により、緯糸を織布の織り口へ運び筬打ちする断片織機において、
　織り口よりも巻き取り側に位置し、織布の端部と下記の緯糸吸い込み装置の第２の吸い込み口との間に切断領域を有し、筬打ちされて織布の端部から巻取側に向けて傾斜する緯糸を切断する緯糸切断装置と、
　織り口よりも巻き取り側に設置され、緯入れされた緯糸に向き合うように開口する第１の吸い込み口、および上記第１の吸い込み口に連なり、織布の端部に向き合うよに開口する第２の吸い込み口を有し、これらの第１の吸い込み口、第２の吸い込み口により筬打ちされた緯糸の先端を保持するとともに、切断された緯糸の先端を吸い込んで廃棄する手段を有する緯糸吸い込み装置と、
を具備することを特徴とする緯糸先端の処理装置。
【請求項３】緯糸吸い込み装置の第１の吸い込み口に対向し、第１の吸い込み口に向けて空気噴射するノズルを設けることを特徴とす　そこで、本願補正後の前記請求項１に係る発明（以下、「本願発明１」という）について検討する。
（１）引用例およびその記載事項
　原査定の理由に引用された引用例、および、その記載事項は、前記「２．（２）」に記載したとおりである。
（２）対比・判断
　本願補正発明１は、前記「２．（２）」で検討したように、請求人の主張どおり単に順序を入れ替え整理するとともに、「第２の吸い込み口により保持した後、織布の端部と上記第２の吸い込み口との間で巻き取り側に向けて傾斜する緯糸を上記緯糸切断装置により切断」した構成に「切断された緯糸先端部が上記緯糸吸い込み装置を介して廃棄される」を付加して限定したものであるから、本願発明１の構成要件をすべてを含む本願補正発明１が、前記「２．（３）」に記載したとおり引用例１、２に記載された発明及び周知技術に基づいて当業者が容易に発明をすることができたものであるから、本願発明１も、同様の理由により、引用例１、２の発明および、周知技術に基づいて当業者が容易に発明をすることができたものである。
（３）むすび
　以上のとおり、本願発明１は、引用例１、２の発明および、周知技術に基づいて当業者が容易に発明をすることができたものであるから、特許法第２９条第２項の規定により特許を受けることができない。
　それゆえ、本願出願は、特許請求の範囲の請求項２、３に係る発明について検討するまでもなく、
　よって、結論のとおり審決する。